(57)【要約】【課題】プリント出力される画像データについて高いセキュリティを確保することができる画像形成装置を提供する。【解決手段】画像を走査する際にＩＣカードを挿入する。ＩＣカードには暗号化するための処理鍵が記憶されている。走査された画像データは、挿入されたＩＣカード中の処理鍵の情報を受け、走査データを暗号化する。暗号化された画像データはメモリに格納し、プリント出力する際にも、ＩＣカードを挿入することで処理鍵より復号化された画像データを出力する。【選択図】        図７
2004214958.tif 000002
【特許請求の範囲】
【請求項１】
画像データを出力媒体上に画像形成する画像出力手段を有する画像形成装置において、
所定の処理鍵情報を用いて暗号化された画像データを保存するデータ保存手段と、
ＩＣカードに記憶された処理鍵情報を読み取るＩＣカードリーダと、
前記ＩＣカードリーダで読み取られた前記処理鍵情報を用いて、前記暗号化された画像データを復号化し前記画像出力手段へ出力する復号化手段とを備えたことを特徴とする画像形成装置。
【発明の詳細な説明】
【０００１】
【発明の属する技術分野】
本発明は、ＭＦＰ（マルチファンクションプリンタ）等の画像形成装置に関し、特にセキュリティ機能を有する画像形成装置に関するものである。
【０００２】
【従来の技術】
従来、複数の機能を備えたＭＦＰ（マルチファンクションプリンタ）は、画像を読み取るリーダ、読み取った画像データをプリントするプリンタ、並びにコントローラを備えている。コントローラは、操作部からの指示に応じて、リーダとプリンタをコントロールして画像形成動作を行う。リーダで読み取られた画像は、コントローラで各種画像処理が行われ、画像メモリに蓄積される。一旦、画像メモリに蓄積された画像は、再度読み出され、プリンタで用紙にプリントされる。
【０００３】
また、ＭＦＰは、ネットワークに接続して外部のクライアントＰＣ（パソコン）等とデータの送受信が可能であり、リーダで読み取った画像をネットワークを介して送信したり、外部のクライアントＰＣから送られた印刷データをプリントしたりすることも可能である（例えば、特許文献１参照）。
【０００４】
【特許文献１】
特開平１１−１５０５５９号公報
【０００５】
【発明が解決しようとする課題】
しかしながら、上記従来のＭＦＰでは、セキュリティ機能を設けておらず、画像メモリに蓄積された画像データを装置の操作者が容易に出力することができ、画像データの機密保持の観点から問題があった。
【０００６】
従来、クライアントＰＣ同士では、暗号化を施してセキュリティの確保をする構成はあったが、ＭＦＰ内部で暗号化を施すような仕組みはなかった。近年の個人及び法人の機密保持に関する関心は非常に高く、ＭＦＰにおいてもセキュリティ対応が望まれていた。
【０００７】
本発明は上記従来の問題点に鑑み、プリント出力される画像データについて高いセキュリティを確保することができる画像形成装置を提供することを目的とする。
【０００８】
【課題を解決するための手段】
上記目的を達成するために、本発明の画像形成装置では、画像データを出力媒体上に画像形成する画像出力手段を有する画像形成装置において、所定の処理鍵情報を用いて暗号化された画像データを保存するデータ保存手段と、ＩＣカードに記憶された処理鍵情報を読み取るＩＣカードリーダと、前記ＩＣカードリーダで読み取られた前記処理鍵情報を用いて、前記暗号化された画像データを復号化し前記画像出力手段へ出力する復号化手段とを備えたことを特徴とする。
【０００９】
【発明の実施の形態】
以下、本発明の実施の形態を図面に基づいて説明する。
【００１０】
＜画像形成装置の構成＞
図１は、本発明の実施の一形態に係る画像形成装置の構成を示す断面図である。
【００１１】
この画像形成装置は、リーダ１０、プリンタ１１、及びコントローラ１２から成るＭＦＰ（マルチファンクションプリンタ）で構成されている。
【００１２】
まず、リーダ１０の構成を説明する。原稿台ガラス１０１には、原稿自動送り装置１４２から給送された原稿が順次、所定位置に載置されるようになっている。この原稿台ガラス１０１に載置された原稿は、例えばハロゲンランプから構成される原稿照明ランプ１０２により露光される。
【００１３】
１０３，１０４，１０５は走査ミラーであり、光学走査ユニットに収容され、往復動しながら原稿からの反射光をＣＣＤユニット１０６に導く。ＣＣＤユニット１０６は、原稿からの反射光を撮像素子１０８に結像させる結像レンズ１０７と、例えばＣＣＤから構成される撮像素子１０８と、撮像素子１０８を駆動するＣＣＤドライバ１０９等から構成されている。また、ＣＣＤユニット１０６はリーダ制御部１４７により制御されている。これによって、撮像素子１０８からの画像信号出力は、例えば８ビットのデジタルデータに変換され、さらにシェーディング補正された後、コントローラ１２に入力され、各種の画像処理が行われる。
【００１４】
操作部１４０は、液晶ディスプレー等で構成され、画像形成に関する各種の指示を入力する画面のほか、個人認証用のパスワードを入力する画面を表示することができる。
【００１５】
コントローラ１２は、操作部１４０とリーダ制御部１４７とプリンタ制御部１４６とに接続され、操作部１４０からの指示に応じて、リーダ１０及びプリンタ１１をコントロールして画像形成動作を行い、また外部Ｉ／Ｆとの通信も行う。
【００１６】
次に、プリンタ１１の構成について説明する。１１０は感光ドラムであり、前露光ランプ１１２によって画像形成に備えて除電される。１１１は、感光ドラム１１０の表面をクリーニングするクリーナーである。１１３は１次帯電器であり、感光ドラム１１０を一様に帯電させる。
【００１７】
１１７は露光手段としてのレーザユニットである。このレーザユニット１１７は、例えば、半導体レーザ等で構成され、画像処理や装置全体の制御を行うコントローラ１２で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧を印加する。
【００１８】
また、図中の１２０、１２２、１２４は給紙ユニットであり、各給紙ローラ１２１、１２３、１２５の駆動により転写用紙が装置内に給送され、レジストローラ１２６の配置位置で一旦停止し、感光ドラム１１０に形成された画像との書き出しタイミングがとられて再給送される。１２７は転写帯電器であり、感光ドラム１１０に現像されたトナー像を、給送される転写用紙に転写する。１２８は分離帯電器であり、転写動作の終了した転写用紙を感光ドラム１１０により分離する。転写されずに感光ドラム１１０上に残ったトナーはクリーナー１１１によって回収される。
【００１９】
１２９は搬送ベルトであり、転写プロセスの終了した転写用紙を定着器１３０に搬送し、例えば熱によって定着される。１３１はフラッパであり、定着プロセスの終了した転写用紙の搬送パスを、ステイプルソータ１３２または中間トレイ１３７の配置方向のいずれかに制御する。
【００２０】
ステイプルソータ１３２に排紙された用紙は、各ビンに仕分けされ、コントローラ１２からの指示によりステイプル部１４１がステイプルを行う。１３３〜１３６は、給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２１】
＜リーダ１０の構成＞
図２は、図１中のリーダ１０の構成を示すブロック図である。
【００２２】
図中の２４は、リーダユニット全体の制御を行うＣＰＵであり、制御プログラムを記憶した読み取り専用メモリ（ＲＯＭ）２６からプログラムを順次読み取り、実行する。ＣＰＵ２４のアドレスバス及びデータバス５０は、バスドライバ及びアドレスデコーダからなる回路２５を介して各負荷に接続されている。また、コントローラ１２のＣＰＵ５３と通信を行い、機器制御を分担して行う。
【００２３】
２７は、入力データの記憶や作業用記憶領域等として用いる主記憶装置としてのランダムアクセスメモリ（ＲＡＭ）である。２８はＩ／Ｏインターフェイスであり、給紙系、搬送系及び光学系の駆動を行うモータ類２９、クラッチ類３０、及び搬送される用紙を検知するための紙検知センサ類３１等の装置の各負荷に接続される。
【００２４】
ＣＣＤ１０８、Ａ／Ｄ変換部２１、シェーディング補正部２２、ビデオ信号制御及びタイミング生成部２３から構成される画像制御部３２は、画像信号の補正、制御、転送を行う。ビデオ信号制御及びタイミング生成部２３は、各機能のタイミングを制御し、コントローラ１２への画像転送を制御する。
【００２５】
＜コントローラ１２の構成＞
図３は、コントローラ１２の構成を示すブロック図である。
【００２６】
図中の５３は、ＣＰＵ５３ａを内蔵したコアＩＣであり、コントローラ１２及び装置全体を統括的に制御し、また各種外部Ｉ／Ｆのほか、画像の圧縮、伸張部なども備えている。ＣＰＵ５３ａは、制御手順（制御プログラム）を記憶した読み取り専用メモリ（ＲＯＭ）５１からプログラムを順次読み取って実行する。また、コアＩＣ５３には、ＰＣＩバスを介してＩ／Ｏコントローラ６０が接続されている。
【００２７】
Ｉ／Ｏコントローラ６０は、該Ｉ／Ｏコントローラ６０に接続された各負荷とコアＩＣ５３との間で実行されるプログラムを、ＰＣＩバスから各負荷に対応したインターフェイスに変更する。Ｉ／Ｏコントローラ６０には、ＨＤ（ハードディスク）３０７、ＥＥＰＲＯＭ６５、操作部１４０、及びＲＴＣ（リアルタイムクロック）５９が直接接続されている。また、データバス及びアドレスバス（ＥＸＴ）を介して画像処理部５５、マスクＲＯＭ５６、ＳＲＡＭ５７及びＬＣＤコントローラ５８が接続されている。
【００２８】
ＨＤ３０７は、メモリ容量１０ＧＢ程度のハードディスクであり、制御プログラムが格納された領域と画像の蓄積用として利用される領域とに分けられている。制御プログラムは、ＲＯＭ５１にも格納されているが、こちらは容量が少なく、起動時にのみ使用する。ＲＯＭ５１のプログラムによって起動した後は、ＨＤ３０７に内蔵されたプログラムをＰＣＩバスを介してＳＤＲＡＭ５２に転送し、そのプログラムに応じて機器を制御する。また、機器の制御プログラムを更新する場合には、ＩＥＥＥ１２８４（５４）を介してパソコンに接続するか、１０／１００ＢＡＳＥＴコネクタ６２を介して接続されたパソコンからプログラムをＨＤ３０７にダウンロードする。
【００２９】
Ｉ／Ｏコントローラ６０に接続されたＥＥＰＲＯＭ６５には、当該画像形成装置の仕様、例えば読み取りスピードや、プリントスピード、使用言語などの情報が、予め書き込まれている。リアルタイムクロックであるＲＴＣ５９は、時間を示し、不図示の電池により常にバックアップされている。
【００３０】
操作部１４０は、Ｉ／Ｏコントローラ６０とシリアルの通信を行い、操作部１４０内のキーが押されたことなどを検知する。操作部１４０への表示データは、ＬＣＤコントローラ５８に外部バスを介して書き込まれ、そのデータが操作部１４０に転送されるようになっている。
【００３１】
ＩＣカードリーダ１４１は、Ｉ／Ｏコントローラ６０とＵＳＢインターフェイス（Ｉ／Ｆ）で接続されており、ＩＣカード（スマートカード）を挿入することにより、カード内に記憶された処理鍵や個人認証のパスワード等の情報がＩ／Ｏコントローラ６０を介してコアＩＣ５３に転送される。マスクＲＯＭ５６は、フォントデータが格納されたメモリであり、操作部１４０への表示や用紙への文字出力時などに使用される。ＳＲＡＭ５７は、不図示の電池によりバックアップされており、各種データが蓄積される。
【００３２】
画像処理部５５は、画像信号に対する画像処理を行い、リーダＩ／Ｆ６３から入力された画像に対するリーダ系の画像処理と、プリンタＩ／Ｆ６４へ画像転送する前のプリンタ系の画像処理とから構成され、変倍縮小処理や、濃度変換、２値化処理、暗号化処理などを行う。
【００３３】
さらに、コアＩＣ５３は、ネットワークＩ／Ｆ６１及び１０／１００ＢＡＳＥＴコネクタ６２を介してＬＡＮに接続されており、外部パソコンなどとデータの送受信が可能であり、リーダ１０で読み取った画像をネットワークを介して送信したり、プリントを行うことができる。ＩＥＥＥ１２８４（５４）は、いわゆるセントロニクスＩ／Ｆであり、パソコンとパラレル接続され、パソコンとの間でデータの送受信が可能である。
【００３４】
次に、画像の流れを簡単に説明する。リーダＩ／Ｆ６３を介して入力された画像は、画像処理部５５で各種画像処理が行われ、コアＩＣ５３を介してＳＤＲＡＭ５２に入力される。なお、暗号化処理を行う場合は、画像処理部５５おいて処理鍵により暗号化を実施する。一旦、ＳＤＲＡＭ５２に蓄積された画像は、コアＩＣ５３により再度読み出され、コアＩＣ５３を介して画像処理部５５で画像処理が行われた後、プリンタＩ／Ｆ６４を経てプリンタ１１へ出力され、用紙に画像形成される。
【００３５】
また、コピーを複数部作成する場合には、入力された画像をＨＤ３０７に蓄え、１部作成する度にＨＤ３０７から読み出して画像形成を行う。この点を詳しく説明すると、ＳＤＲＡＭ５２に一旦蓄積された画像は、コアＩＣ５３により読み出されて、コアＩＣ５３内部の画像圧縮部で圧縮され、ＳＤＲＡＭ５３の別領域に書き込まれる。次に、圧縮された画像は、コアＩＣ５３、パソコンＩバス、及びＩ／Ｏコントローラ６０を介してＨＤ３０７に蓄積される。
【００３６】
画像形成時には、ＨＤ３０７から読み出された圧縮画像が、逆にＩ／Ｏコントローラ６０、ＰＣＩバス及びコアＩＣ５３を介してＳＤＲＡＭ５２に書き込まれる。ＳＤＲＡＭ５２から読み出された画像は、コアＩＣ５３内部の画像伸張部で伸張され、再度ＳＤＲＡＭ５２の別領域に書き込まれる。伸張された画像は、先ほど説明したように、コアＩＣ５３を介して画像処理部５５に転送され、暗号化された画像信号については、画像処理部５５で復号化された後、プリンタ１１へ転送される。
【００３７】
＜プリンタ制御部１４６の構成＞
図４は、図１中のプリンタ制御部１４６の構成を示すブロック図である。
【００３８】
このプリンタ制御部１４６は、プリンタ１１の制御を行うＣＰＵ７０を備えている。ＣＰＵ７０は、プリンタ１１の制御手順（制御プログラム）を記憶したＲＯＭ７２から順次プログラムを読み取って実行する。ＣＰＵ７０のアドレスバス及びデータバス８５は、バスドライバとアドレスデコーダからなる回路７１を介して各負荷に接続されている。また、ＣＰＵ７０は、コントローラ１２のコアＩＣ５３とプリンタＩ／Ｆ６４（図３）を介して接続され、通信を行う。
【００３９】
図中の７３は、入力データの記憶や作業用記憶領域として用いる主記憶装置としてのランダムアクセスメモリ（ＲＡＭ）であり、ＲＡＭ７３の全部または一部は電池等によりバックアップされており、本体の電源がオフの状態でもメモリの内容が保持される。７４はＩ／Ｏインターフェイスであり、給紙系、搬送系及び光学系の駆動を行うモータ類７６と、クラッチ類７７及びソレノイド類７８と、搬送される用紙を検知するための紙検知センサ類８０と、画像形成の高圧制御部８１の各負荷に接続され、さらにレーザユニット１１７に接続されている。
【００４０】
レーザユニット１１７から発振されたレーザビームは、感光ドラム１１０を照射して露光すると共に、非画像領域においてビーム検知センサ８２（受光センサ）によりレーザ光の発光状態並びにビーム位置が検知される。この検知信号は、ビデオ信号制御部／タイミング生成部７５に入力され、タイミング同期信号が形成される。生成されたタイミング同期信号は、コントローラ１２へ出力され、この信号に応じてコントローラ１２は画像データをプリンタ１１へ転送する。コントローラ１２から転送されてきた画像データは、ビデオ信号制御部／タイミング生成部７５を介してレーザユニット１１７へ入力され、画像形成が行われる。
【００４１】
＜画像データの流れ＞
図５は、本実施形態の画像形成装置における画像データの流れを示すブロック図である。
【００４２】
リーダ１０内のＣＣＤ１０８により電気信号に変換された８ビットの画像信号は、Ａ／Ｄ変換部２１によりアナログデータがデジタルデータに変換される。続いてシェーディング補正部２２によって画素間のばらつきの補正が行われた後、コントローラ１２の画像処理部５５に入力される。画像処理部５５は、リーダ系の画像処理とプリンタ系の画像処理により構成されている。
【００４３】
リーダ１０からの画像データは、縮小・拡大部９０に入力される。縮小コピー時には画像データの間引きが行われ、拡大コピー時には画像データの補間が行われる。次のエッジ強調部９１では、例えば５×５（５ライン×５画素）のウインドウで２次微分が行われ、これにより画像のエッジが強調される。ＬＵＴ（ルックアップテーブル）９２は輝度濃度変換部であり、ＣＣＤ１０８により読み込まれた輝度信号を、プリンタ１１に出力するための濃度データに変換するのをテーブルサーチによって行う。また、濃度の調整もこの変換テーブルによって行っている。
【００４４】
９３は２値化処理部であり、入力された多ビット（例えば８ビット）の画像データを２値化処理する。この処理は、後段のメモリに蓄積する際に画像サイズを小さくしメモリ容量を抑えるためである。
【００４５】
２値化処理された画像データは、暗号化部９６で処理鍵によって暗号化処理が施される。この暗号化処理の詳細は、図６を用いて後述する。暗号化された画像データはコアＩＣ５３を介して画像メモリ（ＳＤＲＡＭ）５２に一旦蓄積される。コアＩＣ５３は、画像メモリ５２を制御し、リーダ１０からの画像データを受け取り画像メモリ５２に格納するとともに、画像メモリ５２に格納された画像を読み出し、必要に応じてプリンタ系の画像処理を行う。
【００４６】
暗号化部９６で処理鍵によって暗号化された場合は、復号化部９７で例えば同じ処理鍵によって復号化する（暗号化方式：共通鍵方式）。この暗号復号化処理の詳細は図７を用いて後述する。復号化された画像データは、拡大／縮小部９４において２値データの拡大／縮小処理を行った後、濃度変換部９５では２値データの濃度変換処理を施す。そして、かかる処理後の画像データは、プリンタ制御部１４６を介してレーザユニット１１７に送られ、用紙に画像形成される。
【００４７】
画像メモリ５２に蓄積された画像は、コアＩＣ５３内の画像データ圧縮部によって圧縮処理が施される。圧縮された画像は、Ｉ／Ｏコントローラ６０を介してＨＤ３０７に蓄積される。ＨＤ３０７は１０ＧＢ程度の容量をもち、数千ページの画像データを蓄積することが可能である。ＨＤ３０７に蓄積された画像をプリントする場合には、コアＩＣ５３内の画像データ伸張部によって元のデータに復元され、プリンタ１１へ出力される。
【００４８】
また、画像メモリ（ＳＤＲＡＭ）５２に一旦格納された画像データは、ネットワークＩ／Ｆ６１を介してＬＡＮ３１０へ出力される。このＬＡＮ３１０を介して外部のパソコンやプリンタとネットワークで接続され、データの送受信が行われる。
【００４９】
＜本実施形態の暗号化処理＞
図６は、本実施形態に係る画像形成装置の暗号化処理の詳細を示す概念図である。
【００５０】
本実施形態の画像形成装置としてのＭＦＰ本体６０１内のＨＤ３０７に、原稿をスキャンしたデータを格納する場合は、まずＩＣカード６０６をＩＣカードリーダ１４１に挿入する。このＩＣカードリーダ１４１には、パスワード６１１と暗号化に必要な処理鍵６１２等の情報が埋め込まれている。次に、操作部１４０によって個人認証用のパスワード６０５を入力する。なお、パスワード以外に指紋認証等のバイオ認証を利用して個人が識別できるようにしてもよい。
【００５１】
ＣＰＵ５３ａにおける認証手段５３ｂがＩＣカード６０６内パスワード６１１と入力パスワード６０５との一致、不一致を判断して認証を行い、認証されている個人と断定した場合は、ＨＤ３０７への暗号化ファイルの取り込みが許可される。許可された場合には、ＣＰＵ５３ａは、リーダ１０によって原稿をスキャンし、このスキャンデータを暗号化部９６に転送する。暗号化部９６に転送されたスキャンデータは、ＩＣカード６０６より得られた処理鍵情報６１２を用いて暗号化された後、ＨＤ３０７に保存される。
【００５２】
＜本実施形態の暗号復号化処理＞
図７は、本実施形態に係る画像形成装置の暗号復号化処理の詳細を示す概念図である。
【００５３】
ＭＦＰ本体６０１内のＨＤ３０７に保存された画像データ（処理鍵によって暗号化されたファイル）を読み出しプリント出力する場合は、まずＩＣカード６０６をＩＣカードリーダ１４１に挿入する。このＩＣカードリーダ１４１にはパスワード６１１や復号化に必要な処理鍵６１２等の情報が埋め込まれている。次に、操作部１４０によって個人認証用のパスワード６０５を入力する。なお、パスワード以外に指紋認証等のバイオ認証を利用して個人が識別できるようにしてもよい。
【００５４】
ＣＰＵ５３ａにおける認証手段５３ｂがＩＣカード６０６内パスワード６１１と入力パスワード６０５との一致、不一致を判断して認証を行い、認証されている個人と断定した場合は、暗号化ファイルへのアクセスが許可される。許可された場合には、ＣＰＵ５３ａはＨＤ３０７に保存されている暗号化ファイルを復号化部９７に転送する。復号化部９７に転送された暗号化データは、ＩＣカード６０６より得られた処理鍵情報６１２を用いて復号化され、その後、上述したように拡大／縮小部９４と濃度変換部９５を介してプリンタ１１へ出力され、用紙に画像形成される。
【００５５】
このように本実施形態では、ＭＦＰに接続されたＩＣカードリーダ１４１を用いることにより、ＭＦＰ内部に簡単に暗号化する仕組みを設けることができ、プリント出力される画像データについて高いセキュリティを確保することが可能となる。
【００５６】
［実施態様］
本発明の実施態様の例を以下に列挙する。
【００５７】
＜実施態様１＞
画像データを出力媒体上に画像形成する画像出力手段を有する画像形成装置において、所定の処理鍵情報を用いて暗号化された画像データを保存するデータ保存手段と、ＩＣカードに記憶された処理鍵情報を読み取るＩＣカードリーダと、前記ＩＣカードリーダで読み取られた前記処理鍵情報を用いて、前記暗号化された画像データを復号化し前記画像出力手段へ出力する復号化手段とを備えたことを特徴とする画像形成装置。
【００５８】
＜実施態様２＞
画像データを出力媒体上に画像形成する画像出力手段を有する画像形成装置において、所定の処理鍵情報を用いて暗号化された画像データを保存するデータ保存手段と、ユーザー認証情報を入力する認証情報入力手段と、ＩＣカードに記憶されたユーザー認証情報と処理鍵情報を読み取るＩＣカードリーダと、前記ＩＣカードリーダで読み取られたユーザー認証情報と前記認証情報入力手段から入力されたユーザー認証情報との一致、不一致を判定する認証手段と、前記認証手段によって一致と判定されたときに、前記ＩＣカードリーダで読み取られた前記処理鍵情報を用いて、前記暗号化された画像データを復号化し前記画像出力手段へ出力する復号化手段とを備えたことを特徴とする画像形成装置。
【００５９】
＜実施態様３＞
前記復号化手段から出力される復号化データに対して、出力用の画像処理を施す出力用画像処理手段を設け、該出力用画像処理手段の出力データを前記画像出力手段へ出力する構成にしたことを特徴とする実施態様１または２に記載の画像形成装置。
【００６０】
＜実施態様４＞
画像データを暗号化するための前記所定の処理鍵情報とＩＣカードに記憶された前記処理鍵情報とを共通にしたことを特徴とする実施態様１乃至３に記載の画像形成装置。
【００６１】
＜実施態様５＞
前記ユーザー認証情報は、パスワードまたはバイオ認証情報であることの特徴とする実施態様２乃至４記載の画像形成装置。
【００６２】
＜実施態様６＞
画像を読み取る画像読み取り手段を有する画像読み取り装置において、ＩＣカードに記憶された処理鍵情報を読み取るＩＣカードリーダと、前記ＩＣカードリーダで読み取られた前記処理鍵情報を用いて、前記画像読み取り手段で読み取られた画像データを暗号化する暗号化手段とを備えたことを特徴とする画像読み取り装置。
【００６３】
＜実施態様７＞
画像を読み取る画像読み取り手段を有する画像読み取り装置において、ユーザー認証情報を入力する認証情報入力手段と、ＩＣカードに記憶されたユーザー認証情報と処理鍵情報を読み取るＩＣカードリーダと、前記ＩＣカードリーダで読み取られたユーザー認証情報と前記認証情報入力手段から入力されたユーザー認証情報との一致、不一致を判定する認証手段と、前記認証手段によって一致と判定されたときに、前記ＩＣカードリーダで読み取られた前記処理鍵情報を用いて、前記画像読み取り手段で読み取られた画像データを暗号化する暗号化手段とを備えたことを特徴とする画像読み取り装置。
【００６４】
＜実施態様８＞
前記暗号化手段によって暗号化された画像データに対して圧縮処理を施す画像圧縮手段を備えたことを特徴とする実施態様６または７に記載の画像読み取り装置。
【００６５】
＜実施態様９＞
前記暗号化手段によって暗号化された画像データを格納する手段を備えたことを特徴とする実施態様６乃至７に記載の画像読み取り装置。
【００６６】
＜実施態様１０＞
前記ユーザー認証情報は、パスワードまたはバイオ認証情報であることの特徴とする実施態様７乃至９記載の画像読み取り装置。
【００６７】
【発明の効果】
以上詳細に説明したように本発明によれば、出力媒体上に出力される画像データについて高いセキュリティを確保することが可能になる。
【図面の簡単な説明】
【図１】本発明の実施の一形態に係る画像形成装置の構成を示す断面図である。
【図２】図１中のリーダ１０の構成を示すブロック図である。
【図３】コントローラ１２の構成を示すブロック図である。
【図４】図１中のプリンタ制御部１４６の構成を示すブロック図である。
【図５】実施形態の画像形成装置における画像データの流れを示すブロック図である。
【図６】実施形態に係る画像形成装置の暗号化処理の詳細を示す概念図である。
【図７】実施形態に係る画像形成装置の暗号復号化処理の詳細を示す概念図である。
【符号の説明】
１０  リーダ
１１  プリンタ
１２  コントローラ
５３ａ  ＣＰＵ
５３ｂ  認証手段
９６  暗号化部
９７  復号化部
１４１  ＩＣカードリーダ
１４０  操作部
３０７  ＨＤ
６０１  ＭＦＰ本体
６０５  入力パスワード
６０６  ＩＣカード
６１１  ＩＣカード内パスワード
【図１】
2004214958.tif 000003
【図２】
2004214958.tif 000004
【図３】
2004214958.tif 000005
【図４】
2004214958.tif 000006
【図５】
2004214958.tif 000007
【図６】
2004214958.tif 000008
【図７】
2004214958.tif 000009